(57)【要約】【課題】環境の変化に人間は常に対応出来なければならない視点から災害、テロ、救助活動、自然考察に大掛かりな大型でなければすばやく対応できるマシンはなかった。【解決手段】ワイヤーブリに巻きついたワイヤーを上下に固定して駆け上るように板ラジエーターでネジを締める要領でワイヤーブリを動かす。高い所から低い所へ、低い所から高い所へ自然の地形を巧みに利用してワイヤーの両端を固定して、横にも（川を渡ったり、谷を渡ったり）移動できるように創作した小型マシンである。【選択図】    図１
2007111454.tif 000002
【特許請求の範囲】
【請求項１】
スキュー隊員、特殊部隊員の携帯品として設けた空中自転車。
【請求項２】
登山、地質調査、高所作業時に取り付ける空中自転車。
【請求項３】
世界遺産に指定された自然の中に輸送車として設けた空中自転車。
【請求項４】
登山用リュックの底に取り付ける空中自転車。
【請求項５】
交通道具として設けた空中自転車。
【請求項６】
遊園地で新型ジェットコースターとして設けた空中自転車。
【発明の詳細な説明】
【技術分野】
【０００１】本発明は通常、陸を走るという  自転車の粋を超えた大規模的な活動（自然単位）を実現できる空中自転車である。
【背景技術】
【０００２】従来の自転車は路面上でしか走れなかった。
【発明の開示】
【発明が解決しようとする課題】
【０００３】従来の自転車は  陸上以外の所を走れなかった。【０００４】本発明は  従来の自転車で空間を走れる空中自転車を実現することを目的としている。
【課題を解決するための手段】
【０００５】本発明は  チェーン、歯車、ラジェーター、リール、ワイヤープリ、モーターエンジン等と組み合わせ、１本ワイヤーで空間を横、縦に移動できる空中自転車である。更に  ２本ワイヤーを使い２重にすることにより、より安全性が高まる。
【発明の効果】
【０００６】空中自転車は馬力、大きさ、ワイヤーの強さその物の大きさによって  例えば    大きい物はトラック等を  小さい物は人を運ぶことが出来る。人体装備によって、人間の活動をより広く活躍できる。レスキュー隊員の出動によって、悪環境の中でも人命救助ができる。
地質調査、登山、高所作業にも期待できる。又は  宇宙ステーション外で、無重力の環境の中で、安心、且つ安全作業もできる。
【発明の実施するための最良の形態】
以下、本発明の形態を図１〜図４に基づいて説明する。
【０００７】以下、本発明の実施の形態を図１〜図４に基づいて説明する。
【０００８】図においては  １５を８に２＾〜３回巻きつける、１６を２４に２〜３回巻きつけて、１５と１６を行き先に（高い所）取り付けて  １５と１６緩みのないように固定する。水平使用時も１５と１６両端固定する。２１を握って１９を回し同時に１３も回る  １１で  ２５に固定された２３、８、２４も連動して回ることにより同時に８、２４に巻きつけられたワイヤーブリが回ることによって、ワイヤーを駆け上る。
図の中の１４を専用腰ベルトに取り付けて  ２７で本体と身体の間に間隔を取るために  ２８を胸に当て２９ベルト固定して、１９板ラジェーターを回して  人間は空中自転車と高い所に登れる。
【０００９】取り外すことの出来る１９板ラジェーターを外して  ７エンジンスイッチを押して１０モーターエンジンを７で点火し、６でスピートを調整して高い場所に登ることもできる。
【００１０】水平時モーターエンジンを動力としてよりよい効果が得られるものである。
【００１１】２０切り替えスイッチで自由に昇降ができる。
３０と１７ワイヤーガイドを通すワイヤーが乱巻き防止の成果を上げている。
【００１２】また、１９を回すことによって昇降でき、回さなければ停まり、より安全のため２を設けることで、５を握ると確実に停まるようになっている。
【００１３】本発明のきっかけ図鉛筆に巻いた紐を上下に固定して強く張る。そして鉛筆を回すと上に駆け上がり、反対に回すと下に降りる。尚  同様に鉛筆に巻いた紐を左右に固定して強く張る。すると左右にも移動できる。
【産業上の利用可能性】
【００１４】現在一般に使用されているチェーン、歯車、リール、ワイヤーブリ、モーターエンジン、ラジエーター等を組み合わせることにより縦横自由に移動することを可能にした空中自転車。地球規模の環境の変化に対応できるこの空中自転車は  災害、テロ、研究、探検の必要性から考えれば産業にもたらす経済効果も大きい。
【図面の簡単な説明】
【００１４】１          フレーム先端固定板
２          ブレーキ
３          フレーム
４          ブレーキワイヤー
５          ブレーキレバー
６          速度調節握りレバー
７          エンジンスイッチ
８          ワイヤーブリ１
９          支板１
１０        モーターエンジン
１１        チェーン
１２        軸受け
１３        歯車１
１４        腰掛連接支え板
１５        ワイヤー１
１６        ワイヤー２
１７        後部ワイヤーガイド穴
１８        腰掛連接支板
１９        板ラジエーター
２０        進退調節切り替えスイッチ
２１        握りレバー
２２        歯車２
２３        内臓歯車３
２４        ワイヤーブリ２
２５        ワイヤーブリ支板
２６        支板２
２７        胸当りハンガー
２８        胸当りクッションベルト
２９        胸ベルト
３０        ワイヤーガイド穴
【図１】
2007111454.tif 000003
【図２】
2007111454.tif 000004
【図３】
2007111454.tif 000005
【図４】
2007111454.tif 000006
【図５】
2007111454.tif 000007
【手続補正書】
【提出日】平成17年12月9日(2005.12.9)
【手続補正１】
【補正対象書類名】明細書
【補正対象項目名】全文
【補正方法】変更
【補正の内容】
【発明の詳細な説明】
【技術分野】
【０００１】本発明は通常、陸を走るという  自転車の粋を超えた大規模的な活動（自然単位）を実現できる空中自転車である。
【背景技術】
【０００２】従来の自転車は路面上でしか走れなかった。
【発明の開示】
【発明が解決しようとする課題】
【０００３】従来の自転車は  陸上以外の所を走れなかった。【０００４】本発明は  従来の自転車で空間を走れる空中自転車を実現することを目的としている。
【課題を解決するための手段】
【０００５】本発明は  チェーン、歯車、ラジェーター、リール、ワイヤープリ、モーターエンジン等と組み合わせ、１本ワイヤーで空間を横、縦に移動できる空中自転車である。更に  ２本ワイヤーを使い２重にすることにより、より安全性が高まる。
【発明の効果】
【０００６】空中自転車は馬力、大きさ、ワイヤーの強さその物の大きさによって  例えば    大きい物はトラック等を  小さい物は人を運ぶことが出来る。人体装備によって、人間の活動をより広く活躍できる。レスキュー隊員の出動によって，悪環境の中でも人命救助ができる。
地質調査、登山、高所作業にも期待できる。又は  宇宙ステーション外で、無重力の環境の中で、安心、且つ安全作業もできる。
【発明の実施するための最良の形態】
以下、本発明の形態を図１〜図４に基づいて説明する。
【０００７】以下、本発明の実施の形態を図１〜図４に基づいて説明する。
【０００８】図においては  １５を８に２＾〜３回巻きつける、１６を２４に２〜３回巻きつけて、１５と１６を行き先に（高い所）取り付けて  １５と１６緩みのないように固定する。水平使用時も１５と１６両端固定する。２１を握って１９を回し同時に１３も回る  １１で  ２５に固定された２３，８、２４も連動して回ることにより同時に８、２４に巻きつけられたワイヤーブリが回ることによって、ワイヤーを駆け上る。
図の中の１４を専用腰ベルトに取り付けて  ２７で本体と身体の間に間隔を取るために  ２８を胸に当て２９ベルト固定して、１９板ラジェーターを回して  人間は空中自転車と高い所に登れる。
【０００９】取り外すことの出来る１９板ラジェーターを外して  ７エンジンスイッチを押して１０モーターエンジンを７で点火し、６でスピートを調整して高い場所に登ることもできる。
【００１０】水平時モーターエンジンを動力としてよりよい効果が得られるものである。
【００１１】２０切り替えスイッチで自由に昇降ができる。
３０と１７ワイヤーガイドを通すワイヤーが乱巻き防止の成果を上げている。
【００１２】また、１９を回すことによって昇降でき、回さなければ停まり、より安全のため２を設けることで、５を握ると確実に停まるようになっている。
【００１３】本発明のきっかけ図鉛筆に巻いた紐を上下に固定して強く張る。そして鉛筆を回すと上に駆け上がり、反対に回すと下に降りる。尚  同様に鉛筆に巻いた紐を左右に固定して強く張る。すると左右にも移動できる。
【産業上の利用可能性】
【００１４】現在一般に使用されているチェーン、歯車、リール、ワイヤーブリ、モーターエンジン、ラジエーター等を組み合わせることにより縦横自由に移動することを可能にした空中自転車。地球規模の環境の変化に対応できるこの空中自転車は  災害、テロ、研究、探検の必要性から考えれば産業にもたらす経済効果も大きい。
【図面の簡単な説明】
【００１５】
【図１】    本発明の立体図である。
【図２】    本発明の平面図である。
【図３】    本発明の正面図である。
【図４】    本発明の側面図である。
【図５】    本発明のきかけ図である。
【符号の説明】
【００１６】  １          フレーム先端固定板
２          ブレーキ
３          フレーム
４          ブレーキワイヤー
５          ブレーキレバー
６          速度調節握りレバー
７          エンジンスイッチ
８          ワイヤーブリ１
９          支板１
１０        モーターエンジン
１１        チェーン
１２        軸受け
１３        歯車１
１４        腰掛連接支え板
１５        ワイヤー１
１６        ワイヤー２
１７        後部ワイヤーガイド穴
１８        腰掛連接支板
１９        板ラジエーター
２０        進退調節切り替えスイッチ
２１        握りレバー
２２        歯車２
２３        内臓歯車３
２４        ワイヤーブリ２
２５        ワイヤーブリ支板
２６        支板２
２７        胸当りハンガー
２８        胸当りクッションベルト
２９        胸ベルト
３０        ワイヤーガイド穴